(57)【特許請求の範囲】
【請求項１】
ＡＣ入力用の接続ピン及び接続用のインレット端子部を有するＡＣインレットと、接続側端子部及び出力側端子部を有するＡＣスイッチと、前記ＡＣインレットの前記インレット端子部と前記ＡＣスイッチの前記接続側端子部とを電気的に接続する金属板からなる接続板と、前記ＡＣインレット及び前記ＡＣスイッチとが取り付けられたブラケットとを備え、前記ブラケットに設けられた保持位置に前記インレット端子部が挿入されて取り付けられ、前記接続板と接続される前記インレット端子部には、前記接続板と結合される接続片と、この接続片を自由端に有するアーム部が設けられ、前記接続片は、前記インレット端子部の前記ブラケットへの取り付け位置である前記保持位置より外れて位置させ、前記アーム部は、前記ＡＣインレットの前記接続ピンの軸を中心とした回転方向に前記自由端が撓み可能とすると共に、前記ブラケットの下面に溝部を形成し、この溝部の範囲内で前記アーム部が移動可能となるように、この溝部内に前記アーム部を位置させたことを特徴とするスイッチ装置。
【請求項２】
前記アーム部が、前記インレット端子部と同一の金属材で一体に形成されていることを特徴とする請求項１記載のスイッチ装置。
【請求項３】
前記アーム部は、前記接続ピンの一端で前記接続ピンの軸と直交する方向に延設されており、前記アーム部を前記ブラケットの下面に当接させて前記接続ピンの突出方向への抜けを防止していることを特徴とする請求項１、又は２記載のスイッチ装置。
【発明の詳細な説明】
【０００１】
【発明の属する技術分野】
本発明は、ＡＣインレットとＡＣスイッチとを共通のブラケットに収納配置したスイッチ装置に関し、特にそれぞれの端子部を電気的に接続するための接続構造に関する。
【０００２】
【従来の技術】
従来の、ＡＣインレットとＡＣスイッチとを共通のブラケットに収納配置したスイッチ装置としては、合成樹脂などの絶縁材からなる共通のブラケットに、それぞれ収納部を設け、この収納部にＡＣインレット及びＡＣスイッチを嵌入し取り付けたものや、ブラケットにＡＣインレットの絶縁基材を兼用したものに、ＡＣスイッチを取り付けたものなどが一般的に知られている。
【０００３】
これらのＡＣインレット付きスイッチ装置のＡＣインレットとＡＣスイッチとの接続構造としては、それぞれの端子にリード線などを半田付けして接続する方法や、接続パターンが印刷されたプリント基板などを使用して接続する方法などが一般的に知られているが、これらの方法によれば両者とも、電取法（電気用品取締法）や各国の安全規格などで規定されている活電部の距離を確保するためにはブラケットの外形寸法が厚さ方向に大きくなってしまい、薄型化に対応することが困難となっていた。また、プリント基板などを使用する場合にはコストがアップしてしまっていた。
【０００４】
そこで最近では、ＡＣインレットとＡＣスイッチとの接続方法として、鋼板又は黄銅板などの薄板の金属板で導電部となる接続板を形成し、この接続板によりそれぞれの端子同士を接続する方法が知られている。この接続板を使用する方法によれば、お互いに接続する端子部の薄型化が可能となり、組立も容易なことからローコストでの対応が可能となっている。
【０００５】
【発明が解決しようとする課題】
しかしながら、上述した従来のＡＣインレット付きスイッチ装置の構造においては、ＡＣインレットの端子部とＡＣスイッチの端子部とを接続板を使用して接続する場合に、接続板とはカシメや半田付け等の方法で堅固に接続されていることから、接続部の柔軟性に欠けており、特に、ＡＣインレットの端子部には外部電源からＡＣ電源を供給するための差込プラグが抜き差しされるため、端子部に外力が加わり、端子部と接続板との接続部が破損したり、接触が不安定になるという問題があった。
【０００６】
また、ＡＣインレットの端子部が、端子部と接続板との接続部の破損により、端子の保持位置から抜けてしまったり、半田付け時の熱によりブラケットの端子保持位置が熱変形を起こして端子がぐらついてしまうことから、接続板の保持が不安定となってしまい、組立性や接続の信頼性に問題があった。
【０００７】
したがって、本発明では上述した問題点を解決し、ＡＣインレット付きスイッチ装置のそれぞれの端子部を接続する場合において、薄板の金属板からなる接続板を使用して接続した時に、端子部に外力が加わって端子部と接続板との接続部が破損したり、接触が不安定となる恐れがなく、また、ブラケットの端子保持位置を安定させ、組立性や接続の信頼性に優れたＡＣインレット付きスイッチ装置の接続構造を提供することを目的とする。
【０００８】
【課題を解決するための手段】
上記課題を解決するために本発明では第１の手段として、ＡＣ入力用の接続ピン及び接続用のインレット端子部を有するＡＣインレットと、接続側端子部及び出力側端子部を有するＡＣスイッチと、前記ＡＣインレットの前記インレット端子部と前記ＡＣスイッチの前記接続側端子部とを電気的に接続する金属板からなる接続板と、前記ＡＣインレット及び前記ＡＣスイッチとが取り付けられたブラケットとを備え、前記ブラケットに設けられた保持位置に前記インレット端子部が挿入されて取り付けられ、前記接続板と接続される前記インレット端子部には、前記接続板と結合される接続片と、この接続片を自由端に有するアーム部が設けられ、前記接続片は、前記インレット端子部の前記ブラケットへの取り付け位置である前記保持位置より外れて位置させ、前記アーム部は、前記ＡＣインレットの前記接続ピンの軸を中心とした回転方向に前記自由端が撓み可能とすると共に、前記ブラケットの下面に溝部を形成し、この溝部の範囲内で前記アーム部が移動可能となるように、この溝部内に前記アーム部を位置させたことを特徴とする。
【０００９】
また、第２の手段として、前記アーム部が、前記インレット端子部と同一の金属材で一体に形成されていることを特徴とする。
【００１０】
また、第３の手段として、前記アーム部は、前記接続ピンの一端で前記接続ピンの軸と直交する方向に延設されており、前記アーム部を前記ブラケットの下面に当接させて前記接続ピンの突出方向への抜けを防止していることを特徴とする。
【００１３】
【発明の実施の形態】
以下、本発明の１実施例を図１乃至図１０に示す。図１は本発明のＡＣインレット付きスイッチ装置の平面図、図２は同じく縦断面図、図３は接続板の接続状態を示す説明図、図４はＡＣスイッチの取り付け部分を示す断面図、図５はブラケットの底面図、図６は同じく縦断面図、図７は絶縁カバーの平面図、図８は同じく縦断面図、図９はインレット端子部の正面図、図１０は同じく底面図である。
【００１４】
図において、ブラケット１は、合成樹脂などの絶縁材で略箱形に形成されている。このブラケット１の一方には、外部電源からＡＣ電源を供給するための差込プラグ（図示せず）が挿入されるＡＣインレットの絶縁基材２が一体的に形成されている。この絶縁基材２は、上面が開口された有底部２ａを有する箱状に形成されており、この有底部２ａには一対の貫通孔２ｂ、２ｂが設けられている。この貫通孔２ｂ、２ｂには黄銅などの導電性の金属材からなり、その先端が棒状に形成された接続ピン３ａを有するインレット端子部３が、圧入などの方法で固着されている。
【００１５】
このインレット端子部３の接続ピン３ａの他端側は、前記有底部２ａの外側に延設され、後述する接続板との接続用の接続片３ｂが形成されている。この接続片３ｂは、前記インレット端子部３の取り付け位置である前記貫通孔２ｂの形成位置よりも外側に外れた位置にくるように設けられている。こうすることで、前記インレット端子部３の取り付け位置である前記ブラケット１の前記貫通孔２ｂが、前記接続片３ｂと接続板との半田付け時の熱により変形するのを防止している。
【００１６】
また、前記インレット端子部３には、基部から板状に延設されてその先端が撓み可能となるようなアーム部３ｃが形成されており、このアーム部３ｃの先端には、位置規制段部３ｄが形成され、この位置規制段部３ｄには、直立した前記接続片３ｂが形成されている。また、前記アーム部３ｃは、前記接続ピン３ａの一端で前記接続ピン３ａの軸と直交する方向に延設されており、前記アーム部３ｃを前記ブラケット１の有底部２ａの下面に当接させることで前記接続ピン３ａの突出方向への抜けを防止している。
【００１７】
また、前記有底部２ａの下面には前記貫通孔２ｂに連接されて溝部２ｃが形成されており、この溝部２ｃの範囲内で前記アーム部３ｃが移動可能となるようにこの溝部２ｃの内幅寸法がやや広めに設定されている。前記インレット端子部３が前記貫通孔２ｂに挿入される際に、前記アーム部３ｃが前記溝部２ｃによって位置規制されることで組立が容易となり、組み込まれた後はその自由端が前記溝部２ｃの範囲内で移動することから、後述する接続板との接続部に無理な外力が及ばず破損を防止できるものとなっている。
【００１８】
前記インレット端子部３は、導電性の金属材で一体的に形成されており、切断、折り曲げなどの加工を施すことにより、略Ｌ字状に形成されている。また、前記接続ピン３ａは、丸棒状に加工され、外部電源からの供給用コードなどの差込プラグの接続端子（図示せず）に圧入接続されるものとなっている。
【００１９】
また、前記ブラケット１の他方には、前記ＡＣインレットの絶縁基材２に対応して、前記ブラケット１の上面側に開口して設けられたＡＣスイッチ収納部１ａが形成されている。このＡＣスイッチ収納部１ａには、シーソータイプのＡＣスイッチ４が取り付けられており、このＡＣスイッチ４の両側部に設けられた取付片４ａ、４ａによって、前記ブラケット１にスナップイン取り付けされている。
【００２０】
前記ＡＣスイッチ４は、既存のシーソータイプの電源スイッチで、合成樹脂などの絶縁材で箱状に形成され、前記取付片４ａを両側部に有するケース４ｂと、同じく合成樹脂などの絶縁材からなり、このケース４ｂの上面に配設され、シーソー操作が行われる操作ツマミ４ｃと、前記ケース４ｂ内に収納され、この操作ツマミ４ｃによって駆動される、図示しない可動接点と、この可動接点と離接することで接点の切換が行われる、図示しない固定接点と、この固定接点から導出された接続側端子部４ｄ、及び出力側端子部４ｅとから構成されている。
【００２１】
前記接続側端子部４ｄは、前記ケース４ｂの下面から下方へ突出して形成されており、その途中には階段状の位置規制段部４ｆが設けられ、この位置規制段部４ｆからさらに、その先端が基部より細くなった接続片４ｇが形成されている。また、前記出力側端子部４ｅは、ファストン端子で形成されており、図示しない外部電子機器へのファストン接続が可能なように構成されている。
【００２２】
前記ブラケット１の下面側には、開口部１ｂが設けられており、この開口部１ｂには、前記ＡＣインレットの絶縁基材２から延接された前記インレット端子部３、及び前記ＡＣスイッチ４の前記接続側端子部４ｄが配設されている。前記インレット端子部３と前記接続側端子部４ｄとの間には、鋼板や黄銅板などの導電性の金属板で形成された複数の接続板５、５が接続されており、この接続板５、５に設けられた接続孔５ａ，５ａと、前記インレット端子部３の接続片３ｂ、及びＡＣスイッチ４の接続側端子部４ｄの接続片４ｇとが接続されることで、前記インレット端子部３と前記ＡＣスイッチ４とが電気的に接続されるものとなっている。
【００２３】
この場合、前記インレット端子部３には前記位置規制段部３ｄが設けられており、また、ＡＣスイッチ４の接続側端子部４ｄにも前記位置規制段部４ｆが設けられていることから、前記接続板５、５は、それぞれの位置規制段部３ｄ、４ｆにより位置規制され、前記ブラケット１の開口部１ｂの平面、即ち後述する絶縁カバーの平面とほぼ平行になるように取り付けることができるため、取り付けが安定し、接続の信頼性も確保できる。
【００２４】
また、前記ブラケット１の前記開口部１ｂ内には、前記接続板５、５を保持する保持部１ｃ、１ｃが一体的に設けられており、前記接続板５、５を前記インレット端子部３の接続片３ｂやＡＣスイッチ４の接続側端子部４ｄの接続片４ｇとの接続のために組み込む際に、前記保持部１ｃ、１ｃが、前記接続板５、５の下面部と当接することから、保持が確実となり、取り付け時の安定性、及び接続の信頼性が向上されるものとなっている。
【００２５】
また、前記インレット端子部３には、撓み可能な板状の前記アーム部３ｃが設けられており、このアーム部３ｃを設けることにより、前記接続板５と前記インレット端子部３との接続部間に柔軟性を持たせることができることから、図示しない外部電源からＡＣ電源を供給するための差込プラグが挿入される場合に、例え前記接続ピン３ａがこじられたとしても、これに追従して前記アーム部３ｃが撓むことが可能なため、前記インレット端子部３の破損を防止できるものとなっている。
【００２６】
前記ブラケット１の開口部１ｂには、前記接続板５、５を覆うように、合成樹脂などの絶縁材で蓋状に形成された絶縁カバー６が取り付けられている。この絶縁カバー６には、前記ブラケット１の開口部１ｂ側に突出した長壁状の絶縁突壁６ａが一体的に形成されており、前記ブラケット１の開口部１ｂに前記絶縁カバー６を取り付けた状態で、前記絶縁突壁６ａが前記接続板５、５間に調度位置するように形成されている。
【００２７】
前記絶縁カバー６に前記絶縁突壁６ａを設けることにより、外部からの振動、衝撃や、塵埃などが付着することなどによる前記接続板５、５同士のショートや、絶縁劣化などの問題を引き起こすことを防止できる。
【００２８】
また、前記絶縁カバー６には、一対の窓部６ｂ、６ｂと、この窓部６ｂ、６ｂの周囲を囲む壁部６ｃからなる出力側端子収納部６ｄが形成されている。この出力側端子収納部６ｄは、前記ブラケット１に設けられた前記ＡＣスイッチ収納部１ａの下面側に位置するように形成されている。また、この出力側端子収納部６ｄには、前記ＡＣスイッチ４の出力側の端子である前記出力側端子部４ｅが配設されている。本実施例ではこの出力側端子部４ｅをファストン端子で構成している。この出力側端子部４ｅをファストン端子で構成することで、図示しない外部電子機器への接続を簡易にすることができる。
また、前記絶縁カバー６に、前記壁部６ｃからなる出力側端子収納部６ｄを設けたことにより、接続されるワイヤーハーネスの接続ピン部（図示せず）を前記壁部６ｃでガイドすることから、前記ＡＣスイッチ４の出力側端子部（ファストン端子部）４ｅのぐらつきを防止している。
【００２９】
尚、上記の実施例においては、前記ＡＣインレットの絶縁基材２を前記ブラケット１に一体的に形成する構成としたが、本発明はこれに限定されるものではなく、前記ＡＣインレットの絶縁基材２を前記ＡＣスイッチ４と同様に別体で構成しても良く、この場合にも上記実施例と同様な効果が得られるのは勿論である。また、前記ＡＣスイッチ４のケース４ｂも同様に、前記ブラケット１と一体的に形成する構成としても良い。
【００３０】
【発明の効果】
以上説明したように、本発明のＡＣインレット付きスイッチ装置は、接続板と接続されるインレット端子部には、接続板と結合される接続片と、この接続片を自由端に有するアーム部が設けられ、このアーム部は、ＡＣインレットの接続ピンの軸を中心とした回転方向に自由端が撓み可能としたことから、接続板５とインレット端子部との接続部間に柔軟性を持たせることができるため、差込プラグが挿入される場合に接続ピンがこじられたとしても、これに追従してアーム部が撓むことが可能なため、インレット端子部の破損を防止できる。
【００３１】
また、アーム部が、インレット端子部と同一の金属材で一体に形成されているため、接続箇所を少なくすることができ、外力による破損箇所の削減が図れる。また、組立が容易となる。
【００３２】
また、アーム部は、接続ピンの一端で接続ピンの軸と直交する方向に延設されており、アーム部をブラケットの下面に当接させて接続ピンの突出方向への抜けを防止しているため、簡易な構造で抜け止めが達成できる。
【００３３】
また、ブラケットに設けられた保持位置にインレット端子部が挿入されて取り付けられ、接続板と結合される接続片は、インレット端子部のブラケットへの取り付け位置である保持位置より外れて位置させたため、半田付け時の熱によるインレット端子部の保持位置の変形、劣化を防止できる。
【００３４】
また、ブラケットの下面に溝部を形成し、この溝部の範囲内でアーム部が移動可能となるように、この溝部内にアーム部を位置させたことから、インレット端子部が貫通孔に挿入される際に、アーム部が溝部によって位置規制されることで組立が容易となり、組み込まれた後はその自由端が溝部の範囲内で移動可能なため、接続板との接続部に無理な外力が及ばず破損を防止できる。
【図面の簡単な説明】
【図１】本発明の１実施例であるＡＣインレット付きスイッチ装置を示す平面図である。
【図２】本発明の同じくＡＣインレット付きスイッチ装置を示す縦断面図である。
【図３】本発明の同じく接続板の接続状態を示す説明図である。
【図４】本発明の同じくＡＣスイッチの取り付け部分を示す断面図である。
【図５】本発明の同じくブラケットの底面図である。
【図６】本発明の同じくブラケットの縦断面図である。
【図７】本発明の同じく絶縁カバーの平面図である。
【図８】本発明の同じく絶縁カバーの縦断面図である。
【図９】本発明の同じくインレット端子部の正面図である。
【図１０】本発明の同じくインレット端子部の底面図である。
【符号の説明】
１  ブラケット
１ａ  ＡＣスイッチ収納部
１ｂ  開口部
１ｃ  保持部
２  絶縁基材（ＡＣインレット）
２ａ  有底部
２ｂ  貫通孔
２ｃ  溝部
３  インレット端子部（ＡＣインレット）
３ａ  接続ピン
３ｂ  接続片
３ｃ  アーム部
３ｄ  位置規制段部
４  ＡＣスイッチ
４ａ  取付片
４ｂ  ケース
４ｃ  操作ツマミ
４ｄ  接続側端子部
４ｅ  出力側端子部
４ｆ  位置規制段部
４ｇ  接続片
５  接続板
５ａ  接続孔
６  絶縁カバー
６ａ  絶縁突壁
６ｂ  窓部
６ｃ  壁部
６ｄ  出力側端子収納部
【図１】
0003720642.tif 000002
【図２】
0003720642.tif 000003
【図３】
0003720642.tif 000004
【図４】
0003720642.tif 000005
【図５】
0003720642.tif 000006
【図６】
0003720642.tif 000007
【図７】
0003720642.tif 000008
【図８】
0003720642.tif 000009
【図９】
0003720642.tif 000010
【図１０】
0003720642.tif 000011